(57)【要約】      （修正有）【課題】愛玩動物からマーキング・スプレーの標的にされた壁面等を効率良く保護するため手軽に貼着できて交換し易い動物用排泄物吸収具を提供する。【解決手段】液体を吸収し保持することが可能な吸液部材１０と、吸液部材を被着体２に対して固定する固定手段１３と、吸液部材の一部を構成し、吸液部材に吸収保持された液体Ｐをゲル化して滴下、漏洩又は被着体へ浸潤することを阻止する漏洩阻止手段４０と、を備える。固定手段１３は、乾燥自重に最大吸収可能な液重を加えた重量の吸液部材を斜又は鉛直の被着体へ固定した後、容易に取り外し可能である熱融着性接着剤等の弱粘着手段を有し、吸液部材はシート状であり、適用動物の種類に応じて最適な形状及び寸法に設定され、弱粘着手段は、吸液部材の使用時に上方かつ被着体に対面する位置４６ａに配されている。【選択図】図４
0003192208.tif 000002
【実用新案登録請求の範囲】
【請求項１】
液体を吸収し保持することが可能な吸液部材と、
該吸液部材を被着体に対して固定する固定手段と、
前記吸液部材の一部を構成し、該吸液部材に吸収保持された液体が滴下、漏洩又は前記被着体へ浸潤することを阻止する漏洩阻止手段と、
を備えた動物用排泄物吸収具であって、
前記固定手段は、乾燥自重に最大吸収可能な液重を加えた重量の前記吸液部材を斜又は鉛直の前記被着体へ固定した後、容易に取り外し可能である弱粘着手段を有し、
前記吸液部材はシート状であり、適用動物の種類に応じて最適な形状及び寸法に設定され、
前記弱粘着手段は、前記吸液部材の使用時に上方かつ前記被着体に対面する位置に配されていることを特徴とする動物用排泄物吸収具。
【請求項２】
前記最適な形状及び寸法として、方形のシート状に展開した縦方向の高さが前記適用動物の体長の０．８〜１．２倍で、前記シート状に展開した横方向の幅が前記体長の０．６〜１．５倍であることを特徴とする請求項１に記載の動物用排泄物吸収具。
【請求項３】
前記最適な形状及び寸法として、方形のシート状に展開した縦方向の高さは、前記適用動物がマーキング・スプレーする標的の高さに対して１．３〜１．９倍の高さで、前記シート状に展開した横方向の幅が前記標的の高さの１．０〜２．５倍であることを特徴とする請求項１に記載の動物用排泄物吸収具。
【請求項４】
前記漏洩阻止手段として、前記シート状の縁部から外周方向への液漏れを減少させるように前記縁部の表裏を帯状に接合した封緘部を設けたことを特徴とする請求項１〜３のいずれか１項に記載の動物用排泄物吸収具。
【請求項５】
前記弱粘着手段は、前記封緘部の片面の少なくとも一部に塗布又は積層もしくは貼着されていることを特徴とする請求項１〜４のいずれか１項に記載の動物用排泄物吸収具。
【請求項６】
前記弱粘着手段は、使用開始時に剥離されるフィルム又は剥離紙で被覆保護されていることを特徴とする請求項１〜５のいずれか１項に記載の動物用排泄物吸収具。
【請求項７】
前記弱粘着手段は、熱融着性接着剤であることを特徴とする請求項１〜６のいずれか１項に記載の動物用排泄物吸収具。
【請求項８】
前記熱融着性接着剤は、ホットメルト樹脂接着剤であることを特徴とする請求項７に記載の動物用排泄物吸収具。
【請求項９】
前記弱粘着手段は、両面粘着テープであることを特徴とする請求項１〜６のいずれか１項に記載の動物用排泄物吸収具。
【考案の詳細な説明】
【技術分野】
【０００１】
本考案は、動物用排泄物吸収具に関し、より詳細には、家屋内で飼育される愛玩動物によるマーキング・スプレーの標的にされた壁面等を保護するため、当該壁面等に沿って鉛直に設置し、ほぼ水平方向にスプレーされる液状排泄物を効率良く受容して処理するための動物用排泄物吸収具に関するものである。
【背景技術】
【０００２】
一般的に、家屋内で飼育される猫等の愛玩動物は、飼い主に都合良く排泄躾けができている場合も多いが、マーキング・スプレーに限っては排泄躾けも無効である上、縄張り誇示等の目的のため通常の尿とは異なる強い臭気を伴い、壁等の鉛直面に対して水平方向の放尿で行われる。したがって、屋内の床、壁、障子、襖、調度品、電気設備等に害をもたらすことが多い。例えば、猫のマーキング・スプレーは、通常、立位で行い（まれに座位）排泄量は少なく、鉛直面の決まった位置を標的として行なわれる。
【０００３】
また、特許文献１に記載の愛玩動物用の尿処理具は、雄犬が壁面に向かって日常的に放尿する行動に対応するためのものである。すなわち、この尿処理具は、床面に置かれている第１パネル部の前後方向を広い範囲にわたって汚さないように、第１パネル部に加えて第２パネル部を壁面に沿って配置する構成である。より詳しくは、床面に置かれる第１パネル部と、第１パネル部に対して接合線において接合していて壁面に固定される可撓性の第２パネル部とを有する尿処理具が構成されている。
【先行技術文献】
【特許文献】
【０００４】
【特許文献１】国際公開第２０１３／００８８６３号
【考案の概要】
【考案が解決しようとする課題】
【０００５】
しかしながら、特許文献１に記載の愛玩動物用の尿処理具は、上述した猫のマーキング・スプレー対策に特化したものではなく、通常に排泄される相当量の尿に対する吸収容量を備える一方で、材料資源、交換のコストおよび取り扱い手数の面から効率を改善する余地が残されていた。これに対し、マーキング・スプレーの標的として適切な形状及び大きさのシートを鉛直に設置し、床面に対し、ほぼ水平方向に飛来する尿を効率良く受容する動物用排泄物吸収具が望まれていた。
【０００６】
本考案は、このような問題に鑑みてなされたもので、その目的とするところは、愛玩動物からマーキング・スプレーの標的にされた壁面、家具、カーテン等を効率良く保護するため、手軽に貼着し頻回に交換する負担も少ない動物用排泄物吸収具を提供することにある。
【課題を解決するための手段】
【０００７】
本考案は、このような目的を達成するためになされたもので、請求項１に記載の考案に係る動物用排泄物吸収具は、液体を吸収し保持することが可能な吸液部材と、該吸液部材を被着体に対して固定する固定手段と、前記吸液部材の一部を構成し、該吸液部材に吸収保持された液体が滴下、漏洩又は前記被着体へ浸潤することを阻止する漏洩阻止手段と、を備えた動物用排泄物吸収具であって、前記固定手段は、乾燥自重に最大吸収可能な液重を加えた重量の前記吸液部材を斜又は鉛直の前記被着体へ固定した後、容易に取り外し可能である弱粘着手段を有し、前記吸液部材はシート状であり、適用動物の種類に応じて最適な形状及び寸法に設定され、前記弱粘着手段は、前記吸液部材の使用時に上方かつ前記被着体に対面する位置に配されていることを特徴とする。
【０００８】
また、請求項２に記載の考案に係る動物用排泄物吸収具は、前記最適な形状及び寸法として、方形のシート状に展開した縦方向の高さ（Ｈ）が前記適用動物（例えば、猫）の体長（50cm）の０．８〜１．２倍（40〜60cm）で、前記シート状に展開した横方向の幅（Ｗ）が前記体長（50cm）の０．６〜１．５倍（30〜75cm）であることを特徴とする。
【０００９】
また、請求項３に記載の考案に係る動物用排泄物吸収具は、前記最適な形状及び寸法として、前記シート状に展開した縦方向の高さ（Ｈ）は、前記適用動物（例えば、猫）がマーキング・スプレーする標的の高さ（30cｍ）に対して１．3〜１．９倍の高さ（Ｈ＝39〜57cm）で、前記シート状に展開した横方向の幅（Ｗ）が前記標的の高さ（Ｈ＝30cｍ）の１．０〜２．５倍（30〜75cm）であることを特徴とする。
【００１０】
また、請求項４に記載の考案に係る動物用排泄物吸収具は、前記漏洩阻止手段として、前記シート状の縁部から外周方向への液漏れを減少させるように前記縁部の表裏を帯状に接合した封緘部を設けたことを特徴とする。
また、請求項５に記載の考案に係る動物用排泄物吸収具は、前記弱粘着手段が、前記封緘部の片面の少なくとも一部に塗布又は積層もしくは貼着されていることを特徴とする。
また、請求項６に記載の考案に係る動物用排泄物吸収具は、前記弱粘着手段が、使用開始時に剥離されるフィルム又は剥離紙で被覆保護されていることを特徴とする。
【００１１】
また、請求項７に記載の考案に係る動物用排泄物吸収具は、前記弱粘着手段が、熱融着性接着剤であることを特徴とする。
また、請求項８に記載の考案に係る動物用排泄物吸収具は、前記熱融着性接着剤が、ホットメルト樹脂接着剤であることを特徴とする。
また、請求項９に記載の考案に係る動物用排泄物吸収具は、前記弱粘着手段が、両面粘着テープであることを特徴とする。
【考案の効果】
【００１２】
本考案によれば、愛玩動物からマーキング・スプレーの標的にされた壁面、家具、カーテン等を効率良く保護するため、手軽に貼着し頻回に交換する負担も少ない動物用排泄物吸収具を提供することができる。
【図面の簡単な説明】
【００１３】
【図１】本考案に係る動物用排泄物吸収具の使用状況の説明図である。
【図２】本考案に係る動物用排泄物吸収具の正面図である。
【図３】図２に示した動物用排泄物吸収具の背面図である。
【図４】図２および図３に示した動物用排泄物吸収具の縦断面図である。
【考案を実施するための形態】
【００１４】
以下、図面を参照して本考案の実施形態について説明する。なお、各図にわたって同一効果の部材に対しては同一符号を付して説明を省略する。
図１は、本考案に係る動物用排泄物吸収具を猫に適用した場合の使用状況の説明図である。図１に示すように、猫３のマーキング・スプレーは、通常、立位で行い（まれに座位）排泄量は少なく、鉛直面を有する壁面２の決まった場所で行なわれる。したがって、マーキング・スプレーの標的４を含む飛散領域５として適切な形状及び大きさの動物用排泄物吸収具１００を壁面２に設置し、床面に対し、ほぼ水平方向に放尿された尿Ｐ（図４参照）飛散領域５だけをカバーする最小限の大きさの吸液部材１０により効率良く吸収することが可能である。
【００１５】
なお、猫等の愛玩動物は、飼い主の都合に沿った排泄躾けが可能な場合、不図示の専用トイレで用が足りることが多い。この躾けがなされている愛玩動物であっても、何らかの目的で行うマーキング・スプレーに対しては、その行動を抑制する躾けが困難とされる。したがって、屋内の床面１、壁面２、不図示のふすま、唐紙、カーテン等の家具調度品およびコンセント等の電気設備にもたらされる害を保護するために、動物用排泄物吸収具１００をマーキング・スプレーの標的となる壁面２に設置する。
【００１６】
図２は本考案に係る動物用排泄物吸収具を説明するための正面図である。図３は、図２に示した動物用排泄物吸収具の背面図である。図４は、図２および図３に示した動物用排泄物吸収具の縦断面図である。図１〜図４に示すように、動物用排泄物吸収具１００は、猫３のマーキング・スプレーとして排泄された尿Ｐを正面２０から吸収し保持することが可能な吸液部材１０と、吸液部材１０を被着体である壁面２に対して固定する固定手段（１３）と、漏洩阻止手段（１０，３１，４０〜４４）と、を備えて構成されている。
【００１７】
なお、本実施形態に係る動物用排泄物吸収具１００は、主に猫３の比較的少量の放尿によるマーキング・スプレーの対策用に特化している。したがって、排泄躾けで対応可能な通常の放尿による比較的大量の排泄物を全て吸収保持できる容量でなくても構わない。
固定手段は、乾燥自重に最大吸収可能な液重を加えた重量の吸液部材１０を斜又は鉛直の被着体、例えば壁面２に固定した後、容易に取り外し可能である弱粘着接着層１３が製造工程で塗布されている。より詳しくは、使用時に吸液部材１０の上方かつ被着体２に対面する背面３０のうち、上方の縁部裏面４６ａに、弱粘着接着層１３が塗布形成されている。
【００１８】
弱粘着接着層１３として、両面粘着テープを適用しても良いが、熱融着性接着剤の一種である天然ゴム系のホットメルト樹脂接着剤を適用する方が好ましい。このホットメルト樹脂接着剤の場合、動物用排泄物吸収具１００を壁面２に固定する時、弱粘着接着層１３を家庭用のドライヤー又はアイロンで加熱すれば熱融着性を発揮するので、木製の柱、障子の桟、カーテン布地のほか、表面に多少の凹凸がある被着体であっても必要な粘着強度を確保できる。
【００１９】
また、動物用排泄物吸収具１００を壁面２から外す時も類似の過熱手段によれば、糊残りも無く容易に剥離可能であり、同様の着脱方法によれば、ある程度の回数まで反復着脱を適宜繰り返すことも可能であり、しかも、両面粘着テープよりも安価である。なお、弱粘着とは被着体への接着後に、容易な再剥離・接着を可能にする特性のことである。このような弱粘着の特性を有する再剥離用粘着剤の一種であるアクリル系粘着剤も弱粘着接着層１３に適用可能である。
【００２０】
弱粘着接着層１３には、複数回の粘着が可能な再剥離系の粘着剤を使用し、高い粘着力を保ちつつ容易な再剥離・接着を可能にしたタイプから、剥離後に被着体に粘着感を残さない微粘着タイプなど、用途に合わせて多種類の弱粘着接着剤が知られているので、ホットメルト樹脂接着剤に限らず適宜選択すれば良い。なお、弱粘着手段（１３）は、使用開始時に剥離されるフィルム又は剥離紙１４で被覆保護されていることが好ましい。
【００２１】
吸液部材１０は展開形状が方形のシート状であり、適用動物の種類に応じて最適な形状及び寸法に設定されている。ここでは、一例として猫３に適用するので、吸液部材１０の最適な形状及び寸法は、以下のとおりである。すなわち、シート状に展開した縦方向の高さＨは、猫３の体長、すなわち頭胴長（頭から尾の付け根）が５０ｃｍの場合、その０．８〜１．２倍である４０〜６０ｃｍが好ましい。同様に、シート状に展開した横方向の幅Ｗが体長５０ｃｍの０．６〜１．５倍である３０〜７５ｃｍにすることが好ましい。
【００２２】
また、適用動物が、猫３である場合、吸液部材１０の最適な形状及び寸法として、シート状に展開した縦方向の高さＨは、猫３がマーキング・スプレーする標的の高さＨ２を３０ｃｍとすれば、その高さＨ２に対して１．３〜１．９倍の高さである３９〜５７ｃｍが好ましい。同様に、シート状に展開した横方向の幅Ｗは、標的の高さＨ２が３０ｃｍならば、その１．０〜２．５倍である３０〜７５ｃｍにすることが好ましい。なお、図２において、Ｈ＝Ｈ１＋Ｈ２ならば、Ｈ１：Ｈ２＝１：２を標準とする。
【００２３】
また、漏洩阻止手段（１０，３１，４０〜４４）は、吸液部材１０の一部を構成し、その吸液部材１０に吸収保持された尿等が吸液部材１０から滴下、漏洩又は被着体の壁面２へ浸潤することを阻止する。この漏洩阻止手段（１０，３１，４０〜４４）として、吸液部材１０に吸収保持された液体をゲル化させる高分子材料と、被着体である壁面２に対面する背面３０を被覆する防水被覆３１と、を備えている。すなわち、動物用排泄物吸収具１００は、その正面２０から背面３０までのシート厚方向へ、通水性不織布および高分子吸収紙により吸液部材１０が構成され、その背後に防水被覆３１としての防水シートが順次重なるように固定されている。
【００２４】
動物用排泄物吸収具１００は、上述の構成により、液状排泄物Ｐを素早く吸収して逆戻りさせず、高分子吸収紙の匂い吸収機能が作用して悪臭も防止できる。
さらに、漏洩阻止手段として、シート状の吸液部材１０の縁部４１〜４４から外周方向への液漏れを阻止するように、縁部４１〜４４の縁部表面４５と縁部裏面４６とを帯状に圧縮して接合した封緘部４０が設けられている。なお、縁部表面４５と縁部裏面４６との間には通常の粘着力を有する一般的な接着剤が介在しているが、製造工程において、上述したホットメルト樹脂接着剤により弱粘着接着層１３を形成する際に、縁部表面４５と縁部裏面４６との間も同時に貼り合わせるようにすると製造効率が良い。
なお、弱粘着接着層１３は、封緘部４０の片面の少なくとも一部、つまり動物用排泄物吸収具１００の使用時における上方の縁部４１の裏側、すなわち縁部裏面４６ａに塗布又は積層もしくは貼着されている。
【００２５】
以上のように、本考案によれば、愛玩動物３からマーキング・スプレーの標的にされた壁面２、家具、カーテン等を効率良く保護するため、手軽に貼着し頻回に交換する負担も少ない動物用排泄物吸収具１００を提供することができる。
なお、動物用排泄物吸収具１００が未装着のため無防備の保護対象物に、初回マーキング・スプレーされた場合、液状排泄物を拭き取った動物用排泄物吸収具１００を初回マーキング・スプレーされた場所に貼り付けると、匂い付け効果により標的が定まり易く、次回以降も動物用排泄物吸収具１００に向けてマーキング・スプレーを行うので好都合である。
【産業上の利用可能性】
【００２６】
本考案に係る動物用排泄物吸収具は、猫によるマーキング・スプレーから対象物を保護するため、対象物に貼着し、液状排泄物を吸収した後に使い捨てるマーキング・キャッチシートとして利用可能性がある。
【符号の説明】
【００２７】
１  床面
２  壁面（被着体、保護対象）
３  猫（愛玩動物）
４  標的
５  飛散領域
１０  吸液部材（漏洩阻止手段）
１３  弱粘着接着層（弱粘着手段、固定手段）
１４  剥離紙
２０  正面
３０  背面
３１  防水被覆（漏洩阻止手段）
４０  封緘部（漏洩阻止手段）
４１〜４４  縁部（漏洩阻止手段）
４５  縁部表面
４６  縁部裏面
４６ａ  上方の縁部裏面
１００  動物用排泄物吸収具
Ｐ  尿（液状排泄物）
【図１】
0003192208.tif 000003
【図２】
0003192208.tif 000004
【図３】
0003192208.tif 000005
【図４】
0003192208.tif 000006